(57)【要約】      （修正有）【課題】トラックマークの位置変更作業が容易な編集機能を備えるデジタル記録媒体の記録再生装置を提供する。【解決手段】管理情報に基づいて編集可能なデジタル記録媒体の記録再生装置において、トラックマーク位置の変更要求を受ける認識手段と、トラックマークＮの指定を受ける指定手段と、前後の曲番を表示する表示手段と、トラックマークＮの前後のトラックＮ、Ｎ＋１（＝Ｍ）の開始・終了のアドレスデータを得る読み出し手段と、トラックマークＮの時間単位調整量と移動方向の指定を受ける調整量設定手段と、時間単位調整量をアドレス変更量Ｘに変換する変換手段と、トラックマークＮの位置を変更するトラックマーク位置変更手段と、を備えたトラックマーク位置制御手段を設け、編集時に、位置変更要求に応じて、位置変更対象として指定されたトラックマークＮの前後の曲Ｎ、Ｍのトラックの開始位置又は終了位置を書き換えるように制御する構成。【選択図】図１−ａ
2005071498.tif 000002
【特許請求の範囲】
【請求項１】
オーディオデータが記録された複数のトラックに対して管理情報に基づいて編集可能なデジタル記録媒体の記録再生装置において、
外部から前記デジタル記録媒体のトラックマーク位置の変更要求を受ける認識手段と、
外部から位置変更対象のトラックマークの指定を受ける指定手段と、
前記位置変更対象トラックマークの前後の曲番を表示する表示手段と、
前記管理情報から前記位置変更対象トラックマークの前後の曲番の各トラックの開始位置と終了位置のアドレスデータを得る読み出し手段と、
外部からトラックマークの時間単位調整量と移動方向の指定を受ける調整量設定手段と、
前記時間単位調整量をトラックマーク位置アドレス変更量に変換する変換手段と、
前記トラックマークの移動方向が前の曲のトラックを減らす方向の場合に、前の曲のトラックの終了位置を前記トラックマーク位置アドレス変更量だけ減らしたアドレスとするとともに、前の曲の変更された終了位置の次のアドレスから前の曲のトラックの元の終了位置までの前の曲のデータを、後の曲のトラックの先頭に接続させるようにし、前記トラックマークの移動方向が後の曲のトラックを減らす方向の場合に、後の曲のトラックの開始位置を前記トラックマーク位置アドレス変更量だけ足したアドレスとするとともに、後の曲のトラックの元の開始位置から後の曲の変更された開始位置の手前のアドレスまでの後の曲のデータを、前の曲のトラックの後端に接続させるようにするトラックマーク位置変更手段と、
を備えたトラックマーク位置制御手段を設け、
前記トラックマーク位置制御手段は、編集時に、外部からのトラックマーク位置変更要求に応じて、位置変更対象として指定されたトラックマークの前後の曲のトラックの開始位置又は終了位置を書き換えるように制御することを特徴とするデジタル記録媒体の記録再生装置。
【発明の詳細な説明】
【技術分野】
【０００１】
本発明は、ＭＤ（ミニディスク）等の書き換え可能なデジタル記録媒体の記録再生装置に関し、特に、記録再生装置におけるデジタル記録媒体に記録された音楽等のオーディオデータに対する編集機能に関する。
【背景技術】
【０００２】
音楽を始めとするオーディオデータを記録したＭＤ等の書き換え可能なデジタル記録媒体は、管理情報エリア（例えばＭＤにおける後述のＵＴＯＣエリア）を備えており、記録再生装置は前記デジタル記録媒体に記録されたオーディオデータについて前記管理情報エリアの曲の開始・終了のアドレスデータ、スロット、曲番等の管理情報を書き換えることによって編集できる機能を備えているものが多い。
【０００３】
以下、本発明に係るデジタル記録媒体の記録再生装置として、ＭＤ記録再生装置を例に掲げ、ＭＤに記録されたオーディオデータとして、複数の音楽（楽曲）データを例に説明する。
【０００４】
先ず、ＭＤは音声圧縮技術ＡＴＲＡＣ（Adaptive TRansform Acoustic Coding ）によって圧縮されたディジタルオーディオ信号データを主な記録対象とする光磁気ディスクであり、通常は最大約８０分のディジタルオーディオ信号データの記録が可能である。最近では、一層の圧縮を可能にする音声圧縮方式（ＡＴＲＡＣ３方式）が開発され、ＭＤのロングプレイモード（一般にＭＤＬＰと称される。）が新たにＭＤの追加フォーマットとされるに至っている。
【０００５】
上記ＭＤの記録再生装置の基本システムは、図５に示されるＭＤ記録再生装置２０のブロックダイヤグラムに示されるような構成となっている。
【０００６】
図５において、ＭＤ１に記録されたディジタルオーディオ信号を再生する場合は、ターンテーブル上でスピンドルモータ５によって回転するＭＤ１のカートリッジ１ａ内に収納された光磁気ディスク１ｂの圧縮されたディジタルオーディオ信号データを光ピックアップ２で読み出し、ヘッドアンプ３（ＲＦマトリクスアンプ）を通って、ＥＦＭ／ＣＩＲＣのエンコーダ／デコーダ１０に加えてＥＦＭとＣＩＲＣの復調を行う。また、アドレスデコーダ４は予めディスク１ｂに記録されているＡＤＩＰ信号を復調してアドレス信号を得てＥＦＭ／ＣＩＲＣのエンコーダ／デコーダ１０に入力する。耐震用メモリコントローラ１１はＥＦＭ／ＣＩＲＣのエンコーダ／デコーダ１０からの圧縮データをバッファメモリ（ＤＲＡＭ）等のメモリ回路１４に蓄積するほか、セクターフォーマット信号のエンコード／デコード、メインデータのエラーデータ、バッファ制御、外部入出力制御などのデータ制御機能を備える。次に、ＡＴＲＡＣのエンコーダ／デコーダ１２では、圧縮データを読み出して伸長回路に入力しデータを復調し、復調したデータをディジタル−アナログ変換器１６（ＤＡＣ）へ送りアナログオーディオ信号に変換する。この変換されたアナログオーディオ信号はオーディオ信号出力端子ＯＵＴへ出力される。次に、ＭＤ１にオーディオ信号を記録する場合は、オーディオ信号入力端子ＩＮから入力したアナログオーディオ信号をアナログ−ディジタル変換器（ＡＤＣ）１５でディジタルデータに変換、もしくは図示されない再生装置にて読み取ったＣＤ等のディジタルデータをディジタル入力端子ＤＩＮから入力し、さらにＡＴＲＡＣのエンコーダ／デコーダ１２にて圧縮データに変換して、耐震用メモリコントローラ１１を介してメモリ回路１４に格納する。メモリ回路１４の格納量が一定の量に達した後、格納された圧縮データをＭＤ１に記録する。即ち、メモリ回路１４からの圧縮データを耐震用メモリコントローラ１１が読み出して、ＥＦＭ／ＣＩＲＣのエンコーダ／デコーダ１０に出力し、ＥＦＭ／ＣＩＲＣのエンコーダ／デコーダ１０ではＥＦＭとＣＩＲＣの変調を行って該出力を磁気ヘッド駆動回路７に出力する。磁気ヘッド駆動回路７は磁気ヘッド９に流す電流の向きを記録するＥＦＭ信号データに対応させて磁気ヘッド９に垂直磁界を発生させる。同時に光ピックアップ２からシステムコントローラ１３の制御によってサーボ制御回路８を介して出力されたレーザが出力されて光磁気ディスク１ｂに照射され、上記垂直磁界とレーザの相互作用によってディジタル信号が記録される。
【０００７】
なお、光ピックアップ２の送り移動のための制御信号がシステムコントローラ１３からサーボ制御回路８を介して送りモータ６に加えられる。また、システムコントローラ１３はコンピュータ等からなり、サーボ制御回路８、ＥＦＭ／ＣＩＲＣのエンコーダ／デコーダ１０、耐震用メモリコントローラ１１の各部とバスを介して接続されて制御信号の授受を行い、記録、再生、光ピックアップ２のサーチ動作等の全コントロールの制御と、記録時／再生時／編集時のＭＤ１の管理情報エリアのアドレス情報等の検出／書き換え制御をプログラムの実行によって行っている。キー操作部１８はシステムコントローラ１１の入力装置、表示部１７はシステムコントローラ１３からの種々のデータを表示する液晶等の表示装置である。
【０００８】
次に、上記ＭＤ１の記録フォーマットについて説明すると、図６に示されるように、ディスク内周から外周にかけて、リードインエリアのＴＯＣ（Table of Contents）３１、ＵＴＯＣ（User's Table of Contents）３２、リザーブエリア３３、ＡＵＸ  ＵＴＯＣ（Auxiliary User's Table of Contents）３４、ＡＵＸ  ＵＤＡＴＡ（Auxiliary User's Data）３５、プログラムエリア（データエリア）３６、そして最外周にリードアウトエリア３７が設定されている。
【０００９】
左端の数字はクラスターアドレスであり、プログラムエリア３６の前に別個にクラスター０〜４９クラスターのエリアが設けられているのである。
【００１０】
なお、１クラスター＝３６セクター（メイン３２セクター＋サブ４セクター）、１セクター＝２３５２バイト＝４２４×５．５バイト＋シンク（１２バイト）＋ヘッダー（４バイト）＋サブヘッダー（４バイト）＝５．５サウンドグループ、１サウンドグループ＝４２４バイト（サンプリング周波数４４．１ＫＨｚで５１２サンプル分のオーディオデータ）である。
【００１１】
上記ＵＴＯＣ３２のセクター０にはトラック（曲）の管理情報、セクター１の２５６×７バイトの枠内には曲名のテキストデータ（ＡＳＣＩＩコード）、セクター２にはトラックに付随する録音の記録日付、セクター３には著作権情報、セクター４にはテキストデータ情報（シフトＪＩＳ等の拡張コード等）が各々入る。
【００１２】
そして、上記ＵＴＯＣ３２に記録されている管理情報の各トラック（曲）の開始・終了のアドレスデータにおいて、前の曲（トラックＮ）の終了アドレス“Ｎ end”とその後の曲（トラック（Ｎ＋１）＝トラックＭとする。）の開始アドレス“Ｍ str”は曲間の位置を示す標識（印）であり、トラックマークと称される。
【００１３】
従来の上記ＭＤ記録再生装置において、曲間を示す或るトラックマークの前の曲（Ｎ）と後の曲（Ｎ＋１）との間の前記トラックマークの位置をユーザーが時間的に前後に移動させるという編集を行うには、先ず、前の曲（トラック（Ｎ））と後の曲（トラック（Ｎ＋１））を接続して一つの曲（トラック）にするというトラックマークを消す「連結」の編集作業を行い、次に、分割したい場所を選んで分割する（トラックマークを新たに打つ）という「分割」の編集作業を続けて実行することによって実現されていた。
【００１４】
この点、デジタル記録媒体に記録されたデータをデジタル記録媒体における管理情報の書き換えによって編集する編集機能に関する公知技術として、下記［特許文献１］には、ビデオカメラの動画像データの編集機能として、ディスクに記録されているトラックからトリミングする画像の中心位置が指定された時は、この中心位置の画像データを含み、且つ、この画像データより所定トリミング時間前を先頭アドレスとし、この中心位置の画像データより所定トリミング時間だけ後ろ後端アドレスとした新たなトラックが形成されるように管理領域の管理データの更新を行うようにする編集機能の技術が開示されている。
【００１５】
また、下記［特許文献２］には、光磁気ディスク（ＭＯディスク）等の記録可能のディスクメディアに関する記録再生装置において、トラックマーク操作手段を設け、記録、再生、再生ポーズ中に操作されたら、制御手段がその時点のトラック内の動作位置においてトラックが分割又は連結されるように、管理領域の管理データを書き換えるようにするというトラックマークに関する編集機能の技術が開示されている。
【００１６】
【特許文献１】特開２００２−１７０３６４号公報
【００１７】
【特許文献２】特開２００１−５２４６８号公報
【発明の開示】
【発明が解決しようとする課題】
【００１８】
しかしながら、従来適用されているＭＤ記録再生装置の編集機能においては、トラックマークの位置変更に関して２つの編集作業を行う必要があって繁雑であった。また、分割場所を選択するのが面倒という難点があった。
【００１９】
上記［特許文献１］のように動画像データの編集に関する技術は主として複数の音楽（曲）からなるオーディオデータを記録しているＭＤ等のデジタル記録媒体に対しては適用の意味が殆ど無く、応用が効かない。
【００２０】
また、［引用文献２］のように、記録、再生、再生ポーズ中に操作されたら、制御手段がその時点のトラック内の動作位置においてトラックが分割又は連結されるように、管理領域の管理データを書き換える技術は、トラックの分割又は連結に関するものであり、既存のトラックマークの位置変更という編集作業については有用ではない。
【００２１】
本発明は上記事情に鑑みてなされたものであり、光磁気ディスクのＭＤやＤＶＤオーディオ等のデジタル記録媒体に音楽等のオーディオデータを記録する記録再生装置におけるトラックマーク位置変更の編集作業が簡易な（ユーザーが任意の位置に曲間を示すトラックマークを容易に設定できる）編集手段を提供し、ユーザーの編集作業効率を向上するユーザーフレンドリーなデジタル記録媒体の記録再生装置を提供することを目的とする。
【課題を解決するための手段】
【００２２】
本発明は、オーディオデータが記録された複数のトラックに対して管理情報ＵＴＯＣに基づいて編集可能なデジタル記録媒体の記録再生装置において、外部から前記デジタル記録媒体のトラックマーク位置の変更要求を受ける認識手段と、外部から位置変更対象のトラックマークＮの指定を受ける指定手段と、前記位置変更対象トラックマークＮの前後の曲番Ｎ、Ｎ＋１（＝Ｍ）を表示する表示手段と、前記管理情報ＵＴＯＣから前記位置変更対象トラックマークＮの前後の曲番Ｎ、Ｎ＋１（Ｍ）の各トラックＮ、Ｎ＋１（Ｍ）の開始位置“Ｎ str”、“Ｍ str”と終了位置“Ｎ end”、“Ｍ end”のアドレスデータを得る読み出し手段と、外部からトラックマークＮの時間単位調整量と移動方向の指定を受ける調整量設定手段と、前記時間単位調整量をトラックマーク位置アドレス変更量Ｘに変換する変換手段と、前記トラックマークの移動方向が前の曲のトラックＮを減らす方向の場合に、前の曲のトラックＮの終了位置“Ｎ end”を前記トラックマーク位置アドレス変更量Ｘだけ減らしたアドレス“Ｎ end−Ｘ”とするとともに、前の曲の変更された終了位置の次のアドレス“Ｎ end−Ｘ＋１”から前の曲のトラックの元の終了位置“Ｎ end”までの前の曲のデータＤを、後の曲のトラックＭの先頭に接続させるようにし、前記トラックマークＮの移動方向が後の曲のトラックＭを減らす方向の場合に、後の曲のトラックＭの開始位置“Ｍ str”を前記トラックマーク位置アドレス変更量Ｘだけ足したアドレス“Ｍ str＋Ｘ”とするとともに、後の曲のトラックＭの元の開始位置“Ｍ str”から後の曲の変更された開始位置“Ｍ str＋Ｘ”の手前のアドレス“Ｍ str＋Ｘ−１”までの後の曲のデータＥを、前の曲のトラックＮの後端に接続させるようにするトラックマーク位置変更手段と、を備えたトラックマーク位置制御手段を設け、前記トラックマーク位置制御手段は、編集時に、外部からのトラックマーク位置変更要求に応じて、位置変更対象として指定されたトラックマークＮの前後の曲Ｎ、Ｍのトラックの開始位置又は終了位置を書き換えるように制御することを特徴とするデジタル記録媒体の記録再生装置記録装置を提供することにより、上記課題を達成する。
【発明の効果】
【００２３】
本発明に係るデジタル記録媒体の記録再生装置は、上記のように構成されているため、ＭＤ等のオーディオデータが記録された複数のトラックに対して管理情報に基づいて編集可能なデジタル記録媒体に記録されたオーディオデータのトラックマークの位置変更が一つの編集作業で容易にできるという効果を有する。
【発明を実施するための最良の形態】
【００２４】
本発明に係るデジタル記録媒体の記録再生装置の実施の形態について典型としてＭＤ記録再生装置を例に図面に基づいて説明する。
【００２５】
図１-ａは、本発明のＭＤ記録再生装置のシステムコントローラが制御する編集時の管理情報のトラックマークの位置変更のフローチャートの前半である。図１-ｂは、同フローチャートの後半である。図２は、ＭＤのプログラムエリアにおけるトラックマークの前後のトラックデータとのアドレスの関係を説明するための図である。図３は、ＭＤのプログラムエリアにおけるトラックマークを前方にアドレスＸ移動させた場合の前後のトラックデータとのアドレスの関係を説明するための図である。図４は、ＭＤのプログラムエリアにおけるトラックマークを後方にアドレスＸ移動させた場合の前後のトラックデータとのアドレスの関係を説明するための図である。以下、従来技術で説明した図５のブロックダイヤグラムと図６のＭＤの記録フォーマットも併用して説明する。
【００２６】
本発明に係るＭＤ記録再生装置の基本的なブロックダイヤグラムは、前述の図５のＭＤ記録再生装置２０と同様であり、管理情報エリア（ＵＴＯＣ３２）のトラック管理情報に基づく編集作業を行うためのシステム制御は、トラックマーク位置制御手段の中枢である前記システムコントローラ１３のマイクロコンピュータのプログラム実行で実現される。
【００２７】
本発明のＭＤ記録再生装置における最大の特長は、従来の編集機能に加えて、トラックマークの位置変更を一つの編集作業で行う点にあり、以下のＳＴＥＰ１〜ＳＴＥＰ９のように管理情報エリアのＵＴＯＣ３２からのトラックマークのアドレスの読み出し、記録、表示部１７への表示をシステムコントローラ１３が制御する。以下、図１-ａ及び図１-ｂのフローチャートを基に、システムコントローラ１３による編集モードでのトラックマーク位置変更の処理手順を説明する。
【００２８】
ＳＴＥＰ１：ユーザーのボタン操作等によって、外部からＭＤのトラックマーク位置の変更要求を受ける認識手段で、トラックマーク位置調整要求の有無を確認する。例えば、編集（ＥＤＩＴ）モードにおいて、ユーザーが「トラックマーク位置変更」の処理をボタン選択することで、入力装置がトラックマーク位置変更要求信号をシステムコントローラ１３に送信し、システムコントローラ１３が認識する。
【００２９】
ＳＴＥＰ２：ユーザーのボタン操作等によって、外部から位置変更対象のトラックマークの指定を受ける指定手段で、トラックマーク選択待ち（どの曲間かの指示待ち）の状態に入る。ユーザーはＮ曲目（トラックＮ）とＮ＋１曲目（トラックＮ＋１）との区切り（トラックマークＮ）を１０秒前に移動させたい場合に“Ｎ”をテンキーで入力する。
【００３０】
ＳＴＥＰ３：前記位置変更対象トラックマークＮの前後の曲番を液晶等の表示部に表示する表示手段で、トラックマークＮの前後の曲番（ＮとＮ＋１）を表示する。以下、Ｎ＋１＝Ｍとする。
【００３１】
ＳＴＥＰ４：図２に示されるように、管理情報ＵＴＯＣから前記位置変更対象トラックマークＮの前後の曲番の各トラック（ＮとＮ＋１）の開始位置と終了位置のアドレスデータを読み出してトラックＮの、開始位置“Ｎ str”、終了位置“Ｎ end”を得る。トラックＭの、開始位置“Ｍ str”、終了位置“Ｍ end”を得る。
【００３２】
ＳＴＥＰ５：ユーザーのテンキー操作等で外部からトラックマークＮの時間単位調整量（例えば７．３秒のように０．１秒単位）と移動方向の指定（前方への移動か後方への移動か）を受ける調整量設定手段で、“調整量”と“方向”の入力待ち状態とする。入力されると入力装置がトラックマークＮの“調整量”と“方向”のデータをシステムコントローラ１３に送信する。
【００３３】
ＳＴＥＰ６：システムコントローラ１３は、前記時間単位調整量をトラックマーク位置アドレス変更量に変換する変換手段（単純な演算処理である。）で、“調整量”を“位置量”に変換しこれを“Ｘ”とする。
【００３４】
ＳＴＥＰ７：システムコントローラ１３は、前記“方向”がトラックＮの終了位置のアドレスを減らす方向かトラックＭの先頭を減らす方向（＝トラックＭの先頭のアドレスデータを増やす方向）かを判定する。
【００３５】
ＳＴＥＰ８の１：トラックマーク位置変更手段で、図３に示されるように、前記トラックマークＮの移動方向が前の曲のトラックＮを減らす方向の場合に、前の曲のトラックＮの終了位置“Ｎ end”を前記トラックマーク位置アドレス変更量Ｘだけ減らしたアドレス“Ｎ end−Ｘ”とするとともに、前の曲の変更された終了位置“Ｎ end−Ｘ”の次のアドレス“Ｎ end−Ｘ＋１”から前の曲のトラックの元の終了位置“Ｎ end”までの前の曲のデータＤを後の曲のトラックＭの先頭に接続させるようにする。実際の処理は、後の曲のトラックＭのスロットが追加されてリンクポインタで接続されて、以後、一つの曲（トラックＭ）として扱われる。
【００３６】
ＳＴＥＰ８の２：図４に示されるように、前記トラックマークＮの移動方向が後の曲のトラックＭの先頭のデータを減らす方向の場合に、後の曲のトラックＭの開始位置“Ｍ str”を前記トラックマーク位置アドレス変更量Ｘだけ足したアドレス“Ｍ str＋Ｘ”とするとともに、後の曲のトラックＭの元の開始位置“Ｍ str”から後の曲の変更された開始位置“Ｍ str＋Ｘ”の手前のアドレス“Ｍ str＋Ｘ−１”までの後の曲のデータを前の曲のトラックＮの後端に接続させるようにする。実際の処理は、前の曲のトラックＮのスロットが追加されてリンクポインタで接続されて、以後、一つの曲（トラックＮ）として扱われる。なお、上記トラックＮとトラックＭは連続的にプログラムエリアに記録されている必要はなく、前の曲のトラックＮの終了位置“Ｎ end”と後の曲のトラックＭの元の開始位置“Ｍ str”のアドレスは図２のように離れていてもよい。
ＳＴＥＰ９：トラックマーク位置変更処理を終了する。このまま編集モードを終了してもよいし、ＳＴＥＰ１に戻ってもよい。
【００３７】
以上のステップをシステムコントローラ１３が編集時にユーザーによる外部からのトラックマーク位置変更要求に応じて前記管理情報の指定されたトラックマークの前後の曲のトラックの開始位置又は終了位置を書き換えるように制御する。なお、上記各手段を上記のように機能させるには、システムコントローラ１３の編集のためのプログラムの実行によって実現されるが、このプログラムは記録媒体から読み取られてコンピュータに取り込まれてもよいし、通信ネットワークを介して伝送されてシステムコントローラ１３のコンピュータに取り込まれてもよい。
【００３８】
以上説明したシステムコントローラ１３の制御による一連の管理情報（ＵＴＯＣ）の書き換えによって編集作業におけるトラックマークの位置変更が一つの作業で実現され、ユーザーの曲の編集（調整を含む）が格段に容易になる。
【００３９】
念のために付言すれば、以上の説明はＭＤを念頭になされたが、ＭＤ以外のディジタル録音媒体（例えばＤＶＤ−ＲＷ、ＤＶＤ−ＲＡＭ、ＣＤ−ＲＷ等）を対象とする記録再生装置も本発明の射程内であることは勿論である。
【図面の簡単な説明】
【００４０】
【図１−ａ】本発明のＭＤ記録再生装置のシステムコントローラが制御する編集時の管理情報のトラックマークの位置変更のフローチャート（前半）である。
【図１−ｂ】本発明のＭＤ記録再生装置のシステムコントローラが制御する編集時の管理情報のトラックマークの位置変更のフローチャート（後半）である。
【図２】ＭＤのプログラムエリアにおけるトラックマークの前後のトラックデータとのアドレスの関係を説明するための図である。
【図３】ＭＤのプログラムエリアにおけるトラックマークを前方にアドレスＸ移動させた場合の前後のトラックデータとのアドレスの関係を説明するための図である。
【図４】ＭＤのプログラムエリアにおけるトラックマークを後方にアドレスＸ移動させた場合の前後のトラックデータとのアドレスの関係を説明するための図である。
【図５】ＭＤ記録再生装置のブロックダイヤグラムである。
【図６】ＭＤの記録フォーマットについて説明するための図である。
【符号の説明】
【００４１】
１ａ  ＭＤのカートリッジ
１ｂ  光磁気ディスク
２    光ピックアップ
３    ヘッドアンプ
４    アドレスデコーダ
５    スピンドルモータ
６    送りモータ
７    磁気ヘッド駆動回路
８    サーボ制御回路
９    磁気ヘッド
１０    ＥＦＭとＣＩＲＣのエンコーダ／デコーダ
１１    耐震用メモリコントローラ
１２    ＡＴＲＡＣのエンコーダ／デコーダ
１３    システムコントローラ
１４    メモリ回路
１５    アナログ−ディジタル変換器
１６    ディジタル−アナログ変換器
１７    表示部
１８    キー操作部
２０    ＭＤ記録再生装置
３１    ＴＯＣ（Table of Contents）
３２    ＵＴＯＣ（User's Table of Contents）
３３    リザーブエリア
３４    ＡＵＸ  ＵＴＯＣ（Auxiliary User's Table of Contents）
３５    ＡＵＸ  ＵＤＡＴＡ（Auxiliary User's Data）
３６    プログラムエリア
３７    リードアウトエリア
ＭＤ１    ミニディスク
ＩＮ    オーディオ信号入力端子
ＯＵＴ    オーディオ信号出力端子
【図１−ａ】
2005071498.tif 000003
【図１−ｂ】
2005071498.tif 000004
【図２】
2005071498.tif 000005
【図３】
2005071498.tif 000006
【図４】
2005071498.tif 000007
【図５】
2005071498.tif 000008
【図６】
2005071498.tif 000009